(57)【要約】  ＩｏＴ(ｉｎｔｅｒｎｅｔ ｏｆ ｔｈｉｎｇｓ)技術を用いて４世代(４Ｇ)システムより高いデータ速度をサポートする５世代(５Ｇ)通信システムを融合する通信方法及びシステムを提供すること。本開示は５Ｇ通信技術及びＩｏＴ関連技術に基盤した知能型サービスに適用されることができる。本開示は、ランダムアクセスプリアンブル再送信のためのバックオフタイマーを開始し、バックオフタイマーの間の無競争ランダムアクセスリソースを選択する基準が充足されるかを決定し、バックオフタイマー間基準が充足される時にランダムアクセスプリアンブルの送信のためのランダムアクセスリソースを選択し、選択されたランダムアクセスリソースでのランダムアクセスプリアンブルを基地局に送信することによって端末機が無線通信システムでランダムアクセスを行う方法及び装置を提供する。
2021527979.tif 000002
【特許請求の範囲】
【請求項１】
無線通信システムの端末がランダムアクセスを行う方法であって、
ランダムアクセス手続きと連関されたバックオフ時間を選択する段階と、
前記バックオフ時間の間の無競争ランダムアクセスリソースを選択する基準が充足されるかを決定する段階と、
前記基準が前記バックオフ時間の間の充足される場合に、ランダムアクセスプリアンブルを送信するためのランダムアクセスリソースを選択する段階と、及び
選択されたランダムアクセスリソースで前記ランダムアクセスプリアンブルを基地局に送信する段階と、を含む、ランダムアクセスを行う方法。
【請求項２】
前記基準が充足されない場合、前記ランダムアクセスプリアンブルのための前記ランダムアクセスリソースは前記バックオフ時間後に選択される、請求項１に記載のランダムアクセスを行う方法。
【請求項３】
バックオフインジケーター上で情報を受信する段階を含み、
前記バックオフ時間はランダムアクセス応答ウィンドウが満了されたり競争解決タイマーが満了される場合、バックオフインジケーターに基づいて選択されたバックオフタイマーに相応し、
前記基準が充足される場合、前記バックオフ時間が停止される、請求項１に記載のランダムアクセスを行う方法。
【請求項４】
ランダムアクセス手続きが物理的ダウンリンク制御チャンネル(ＰＤＣＣＨ)オーダーによって開始され、前記ＰＤＣＣＨオーダーが０ではないプリアンブルインデックスを含む場合、前記基準が充足されることで決定され、
無競争ランダムアクセスリソースが前記基地局によってシグナリングされ、前記無競争ランダムアクセスリソースと連関された同期化信号ブロック(ＳＳＢ)の基準信号受信電力(ＲＳＲＰ)又は前記無競争ランダムアクセスリソースと連関されたチャンネル状態情報基準信号(ＣＳＩ−ＲＳ)のＲＳＲＰがしきい値を超過する場合、前記基準が充足されることで決定されたり、
前記ランダムアクセス手続きがビーム障害回復のために開始され、ビーム障害回復タイマーが実行中であるか設定されず、前記ＳＳＢのＲＳＲＰ又は前記ＣＳＩ−ＲＳのＲＳＲＰがしきい値を超過する場合、前記基準が充足されることで決定される、請求項１に記載のランダムアクセスを行う方法。
【請求項５】
無線通信システムの基地局がランダムアクセスを行う方法であって、
ランダムアクセス手続きのためのバックオフ時間上の情報を端末機に送信する段階と、及び
前記端末機からランダムアクセスリソースでのランダムアクセスプリアンブルを受信する段階と、を含むが、
前記バックオフ時間の間の無競争ランダムアクセスリソースを選択する基準が充足されるかが決定され、
前記バックオフ時間の間の前記基準が充足される場合に前記ランダムアクセスプリアンブルの送信のためのランダムアクセスリソースが選択される、ランダムアクセスを行う方法。
【請求項６】
前記基準が充足されない場合、前記ランダムアクセスプリアンブルのための前記ランダムアクセスリソースは前記バックオフ時間後に選択され、
前記バックオフ時間上の情報はバックオフインジケーター上の情報を含み、
バックオフインジケーター上で情報を受信する段階を含み、
ランダムアクセス応答ウィンドウが満了されたり競争解決タイマーが満了される場合、前記バックオフ時間は前記バックオフインジケーターに基づいて選択されたバックオフタイマーに相応し、
前記基準が充足される場合、前記バックオフ時間は停止される、請求項５に記載のランダムアクセスを行う方法。
【請求項７】
ランダムアクセス手続きが物理的ダウンリンク制御チャンネル(ＰＤＣＣＨ)オーダーによって開始され、前記ＰＤＣＣＨオーダーが０ではないプリアンブルインデックスを含む場合、前記基準が充足されることで決定され、
無競争ランダムアクセスリソースが前記基地局によってシグナリングされ、前記無競争ランダムアクセスリソースと連関された同期化信号ブロック(ＳＳＢ)の基準信号受信電力(ＲＳＲＰ)又は前記無競争ランダムアクセスリソースと連関されたチャンネル状態情報基準信号(ＣＳＩ−ＲＳ)のＲＳＲＰがしきい値を超過する場合、前記基準が充足されることで決定されたり、
前記ランダムアクセス手続きがビーム障害回復のために開始され、ビーム障害回復タイマーが実行中であるか設定されず、前記ＳＳＢのＲＳＲＰ又は前記ＣＳＩ−ＲＳのＲＳＲＰがしきい値を超過する場合、前記基準が充足されることで決定される、請求項５に記載のランダムアクセスを行う方法。
【請求項８】
無線通信システムでランダムアクセスを行う端末機であって、
信号を送受信するように構成された送受信機と、及び
制御部と、を含み、前記制御部は、
ランダムアクセス手続きと連関されたバックオフ時間を選択し、
前記バックオフ時間の間の無競争ランダムアクセスリソースを選択する基準が充足されるかを決定し、
前記基準が前記バックオフ時間の間に充足される場合に、ランダムアクセスプリアンブルを送信するためのランダムアクセスリソースを選択し、
選択されたランダムアクセスリソースで前記ランダムアクセスプリアンブルを基地局に送信するように構成される、ランダムアクセスを行う端末機。
【請求項９】
前記基準が充足されない場合、前記ランダムアクセスプリアンブルのための前記ランダムアクセスリソースは前記バックオフ時間後に選択される、請求項８に記載のランダムアクセスを行う端末機。
【請求項１０】
前記制御部はバックオフインジケーター上の情報を受信するようにさらに構成され、
前記バックオフ時間はランダムアクセス応答ウィンドウが満了されたり競争解決タイマーが満了される場合、前記バックオフインジケーターに基づいて選択されたバックオフタイマーに相応し、
前記基準が充足される場合、前記バックオフ時間が停止される、請求項８に記載のランダムアクセスを行う端末機。
【請求項１１】
ランダムアクセス手続きが物理的ダウンリンク制御チャンネル(ＰＤＣＣＨ)オーダーによって開始され、前記ＰＤＣＣＨオーダーが０ではないプリアンブルインデックスを含む場合、前記基準が充足されることで決定され、
無競争ランダムアクセスリソースが前記基地局によってシグナリングされ、前記無競争ランダムアクセスリソースと連関された同期化信号ブロック(ＳＳＢ)の基準信号受信電力(ＲＳＲＰ)又は前記無競争ランダムアクセスリソースと連関されたチャンネル状態情報基準信号(ＣＳＩ−ＲＳ)のＲＳＲＰがしきい値を超過する場合、前記基準が充足されることで決定されたり、
前記ランダムアクセス手続きがビーム障害回復のために開始され、ビーム障害回復タイマーが実行中であるか設定されず、前記ＳＳＢのＲＳＲＰ又は前記ＣＳＩ−ＲＳのＲＳＲＰがしきい値を超過する場合、前記基準が充足されることで決定される、請求項８に記載のランダムアクセスを行う端末機。
【請求項１２】
無線通信システムでランダムアクセスを行う基地局であって、
信号を送受信するように構成された送受信機と、及び
制御部と、を含み、前記制御部は、
ランダムアクセス手続きのためのバックオフ時間上の情報を端末機に送信し、
前記端末機からランダムアクセスリソースでのランダムアクセスプリアンブルを受信するように構成され、
前記バックオフ時間の間の無競争ランダムアクセスリソースを選択する基準が充足されるかが決定され、
前記バックオフ時間の間の前記基準が充足される場合に前記ランダムアクセスプリアンブルの送信のためのランダムアクセスリソースが選択される、ランダムアクセスを行う基地局。
【請求項１３】
前記基準が充足されない場合、前記ランダムアクセスプリアンブルのための前記ランダムアクセスリソースは前記バックオフ時間が満了された後に選択される、請求項１２に記載のランダムアクセスを行う基地局。
【請求項１４】
前記バックオフ時間上の情報はバックオフインジケーター上の情報を含み、
ランダムアクセス応答ウィンドウが満了されたり競争解決タイマーが満了される場合、前記バックオフ時間は前記バックオフインジケーターに基づいて選択されたバックオフタイマーに相応し、
前記基準が充足される場合、前記バックオフ時間は停止される、請求項１２に記載のランダムアクセスを行う基地局。
【請求項１５】
ランダムアクセス手続きが物理的ダウンリンク制御チャンネル(ＰＤＣＣＨ)オーダーによって開始され、前記ＰＤＣＣＨオーダーが０ではないプリアンブルインデックスを含む場合、  前記基準が充足されることで決定され、
無競争ランダムアクセスリソースが前記基地局によってシグナリングされ、前記無競争ランダムアクセスリソースと連関された同期化信号ブロック(ＳＳＢ)の基準信号受信電力(ＲＳＲＰ)又は前記無競争ランダムアクセスリソースと連関されたチャンネル状態情報基準信号(ＣＳＩ−ＲＳ)のＲＳＲＰがしきい値を超過する場合、前記基準が充足されることで決定されたり、
前記ランダムアクセス手続きがビーム障害回復のために開始され、ビーム障害回復タイマーが実行中であるか設定されず、前記ＳＳＢのＲＳＲＰ又は前記ＣＳＩ−ＲＳのＲＳＲＰがしきい値を超過する場合、前記基準が充足されることで決定される、請求項１２に記載のランダムアクセスを行う基地局。
【発明の詳細な説明】
【技術分野】
【０００１】
本開示は、無線通信システムに関する。より具体的に本開示は無線通信システムでランダムアクセスバックオフを行う装置、方法及びシステムに関する。
【背景技術】
【０００２】
４Ｇ通信システムの商用化以後に増加趨勢にある無線データトラフィック需要を満たすため、改善された５Ｇ又はｐｒｅ−５Ｇ通信システムを開発するための努力が成りつつある。このような理由で、５Ｇ又はｐｒｅ−５Ｇ通信システムはさらに“４Ｇネットワーク以後(Ｂｅｙｏｎｄ ４Ｇ Ｎｅｔｗｏｒｋ)”通信システム又は“ＬＴＥシステム以後(Ｐｏｓｔ ＬＴＥ)”の通信システムと呼ばれている。高いデータ送信率(ｄａｔａ  ｒａｔｅ）を達成するために、５Ｇ通信システムは超高周波(ｍｍＷａｖｅ)帯域(例えば、６０ＧＨｚ帯域)で具現されることで見なされる。無線波(ｒａｄｉｏ  ｗａｖｅ)の電波損失を減少させて送信距離を増加させるために５Ｇ通信システムではビームフォーミング(ｂｅａｍｆｏｒｍｉｎｇ)、巨大なＭＩＭＯ（Ｍｕｌｔｉｐｌｅ−Ｉｎｐｕｔ  Ｍｕｌｔｉｐｌｅ−Ｏｕｔｐｕｔ)、 ＦＤ−ＭＩＭＯ (Ｆｕｌｌ Ｄｉｍｅｎｓｉｏｎａｌ ＭＩＭＯ)、アレイアンテナ(ａｒｒａｙ ａｎｔｅｎｎａ)、アナログビームフォーミング(ａｎａｌｏｇ ｂｅａｍ−ｆｏｒｍｉｎｇ)、及び大規模アンテナ(ｌａｒｇｅ ｓｃａｌｅ ａｎｔｅｎｎａ)技術が論議されている。さらに、システムのネットワーク改善のために、５Ｇ通信システムでは進化された小型セル (ａｄｖａｎｃｅｄ ｓｍａｌｌ ｃｅｌｌ)、クラウド無線アクセスネットワーク(ｃｌｏｕｄ ｒａｄｉｏ ａｃｃｅｓｓ ｎｅｔｗｏｒｋ：ｃｌｏｕｄ ＲＡＮ)、超高密度ネットワーク(ｕｌｔｒａ−ｄｅｎｓｅ ｎｅｔｗｏｒｋ)、機器間の通信(Ｄｅｖｉｃｅ ｔｏ Ｄｅｖｉｃｅ (Ｄ２Ｄ) ｃｏｍｍｕｎｉｃａｔｉｏｎ)、無線バックホール(ｗｉｒｅｌｅｓｓ ｂａｃｋｈａｕｌ)、移動ネットワーク(ｍｏｖｉｎｇ ｎｅｔｗｏｒｋ)、協力通信(ｃｏｏｐｅｒａｔｉｖｅ ｃｏｍｍｕｎｉｃａｔｉｏｎ)、ＣｏＭＰ(Ｃｏｏｒｄｉｎａｔｅｄ Ｍｕｌｔｉ−Ｐｏｉｎｔｓ)、及び受信端干渉除去(ｒｅｃｅｐｔｉｏｎ−ｅｎｄ ｉｎｔｅｒｆｅｒｅｎｃｅ ｃａｎｃｅｌｌａｔｉｏｎ)などの技術開発が成りつつある。５Ｇシステムでは進歩されたコーディング変調(Ａｄｖａｎｃｅｄ Ｃｏｄｉｎｇ Ｍｏｄｕｌａｔｉｏｎ、ＡＣＭ)方式であるＦＱＡＭ(Ｈｙｂｒｉｄ ＦＳＫ ａｎｄ ＱＡＭ Ｍｏｄｕｌａｔｉｏｎ)及びＳＷＳＣ(Ｓｌｉｄｉｎｇ ＷｉｎｄｏｗＳｕｐｅｒ ｐｏｓｉｔｉｏｎ Ｃｏｄｉｎｇ)と、進歩されたアクセス技術であるＦＢＭＣ(Ｆｉｌｔｅｒ Ｂａｎｋ Ｍｕｌｔｉ Ｃａｒｒｉｅｒ)、ＮＯＭＡ(ｎｏｎ ｏｒｔｈｏｇｏｎａｌ ｍｕｌｔｉｐｌｅ ａｃｃｅｓｓ)、及びＳＣＭＡ(ｓｐａｒｓｅ ｃｏｄｅ ｍｕｌｔｉｐｌｅ ａｃｃｅｓｓ)などが開発されている。
【０００３】
一方、インターネットは人間が情報を生成して消費する人間中心の接続網から、事物など分散した構成要素の間に情報を取り交わして処理するＩｏＴ(Ｉｎｔｅｒｎｅｔ ｏｆ Ｔｈｉｎｇｓ、事物インターネット)網に進化しつつある。クラウドサーバーなどとの接続を通じるビックデータ(Ｂｉｇ ｄａｔａ)処理技術などがＩｏＴ技術に結合されたＩｏＥ(Ｉｎｔｅｒｎｅｔ ｏｆ Ｅｖｅｒｙｔｈｉｎｇ)技術も台頭している。ＩｏＴを具現するために、センシング技術、有無線通信及びネットワークインフラ、サービスインターフェース技術、及び保安技術のような技術要素が要求され、最近には事物間の接続のためのセンサーネットワーク(ｓｅｎｓｏｒ ｎｅｔｗｏｒｋ)、マシンツーマシン(Ｍａｃｈｉｎｅｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。ＩｏＴ環境では接続された事物で生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業間の融合及び複合を介してスマートホーム、スマートビルディング、スマートシティ、スマートカー又はコネクテッドカー、スマートグリッド、ヘルスケア、スマート家電、先端医療サービスなどの分野に応用されることができる。
【０００４】
これに、５Ｇ通信システムをＩｏＴ網に適用するための多様な試みが成っている。例えば、センサーネットワーク(ｓｅｎｓｏｒ ｎｅｔｗｏｒｋ)、 ＭＴＣ(Ｍａｃｈｉｎｅ Ｔｙｐｅ Ｃｏｍｍｕｎｉｃａｔｉｏｎ)、マシンツーマシン(Ｍａｃｈｉｎｅ ｔｏ Ｍａｃｈｉｎｅ、Ｍ２Ｍ)などの技術は５Ｇ通信技術がビームフォーミング、ＭＩＭＯ及びアレイアンテナなどの技法によって具現されていることである。前述したビックデータ処理技術としてクラウド無線アクセスネットワーク(ｃｌｏｕｄ ＲＡＮ)が適用されることも５Ｇ技術とＩｏＴ技術融合の一例と言えるだろう。
【０００５】
また、５Ｇ通信システムのためのランダムアクセス手続きに対する多様な研究が行われた。
【０００６】
上述した情報は本開示の理解を助けるために背景情報としてのみ提示される。上述した事項のうちのいずれかが本開示に係って先行技術として適用されるか否かについては、何の決定もされておらず、主張もされていない。
【発明の概要】
【発明が解決しようとする課題】
【０００７】
５Ｇ通信システムでランダムアクセス手続きを向上させるための多様な要求がある。
【課題を解決するための手段】
【０００８】
本開示の様態は少なくとも上述した問題点及び／又は短所を解決し、以下で説明される少なくとも利点を提供することである。したがって、本開示の様態は無線通信システムでランダムアクセスバックオフ(ｒａｎｄｏｍ ａｃｃｅｓｓ ｂａｃｋ ｏｆｆ)を行う方法及び装置を提供することである。
【０００９】
付加的な様態は次の説明で部分的に説明され、部分的には説明から明白であるか提示された実施例を実施することによって学習されることができる。
【００１０】
本開示の様態によれば、端末機がランダムアクセスを行う方法が提供される。この方法は、ランダムアクセス手続きに対するバックオフタイマーを開始する段階と、バックオフタイマーの間の無競争(ｃｏｎｔｅｎｔｉｏｎ ｆｒｅｅ)ランダムアクセスリソースを選択する基準が充足されるかを決定する段階と、バックオフタイマーの間の基準が充足される時の無競争ランダムアクセスリソースと連関されたランダムアクセスプリアンブルを選択する段階と、及びランダムアクセスプリアンブルを基地局に送信する段階と、を含む。
【００１１】
本開示の他の様態によれば、ランダムアクセスを行う端末機が提供される。端末機は信号を送受信するように構成された送受信機と、ランダムアクセス手続きのためのバックオフタイマーを開始し、バックオフタイマーの間の無競争ランダムアクセスリソースを選択する基準が充足されるかを決定し、バックオフタイマーの間の基準が充足される時の無競争ランダムアクセスリソースと連関されたランダムアクセスプリアンブルをアクセスし、ランダムアクセスプリアンブルを基地局に送信するように構成された制御部と、を含む。
【００１２】
本開示の他の様態によれば、基地局がランダムアクセスを行う方法が提供される。この方法は、ランダムアクセス手続きのためのバックオフタイマーを端末機に送信する段階と、及び端末機からランダムアクセスプリアンブルを受信する段階と、を含むが、バックオフタイマーの間の無競争ランダムアクセスリソースを選択する基準が充足されるかが決定され、無競争ランダムアクセスリソースと連関されたランダムアクセスプリアンブルはバックオフタイマーの間の基準が充足される時に選択される。
【００１３】
本開示の他の様態によれば、ランダムアクセスを行う基地局が提供される。基地局は信号を送受信するように構成された送受信機と、及びランダムアクセス手続きのためのバックオフタイマーを端末機に送信し、端末機からランダムアクセスプリアンブルを受信するように構成された制御部と、を含むが、無競争ランダムアクセスリソースを選択する基準はバックオフタイマーの間に決定され、無競争ランダムアクセスリソースと連関されたランダムアクセスプリアンブルはバックオフタイマーの間の基準が充足される時に選択される。
【００１４】
本開示の様態、長所及び顕著な特徴は添付された図面に係って本開示の多様な実施例を開示する次の詳細な説明から通常の技術者には明らかになるだろう。
【発明の効果】
【００１５】
本開示の多様な実施例によれば、５Ｇ通信システムのランダムアクセス手続きは効率的に向上することができる。
【図面の簡単な説明】
【００１６】
【図１】本開示の一実施例による無競争ランダムアクセスプリアンブルの送信を示す図である。
【図２】本開示の一実施例による競争基盤ランダムアクセスプリアンブルの送信を示す図である。
【図３】本開示の一実施例によるランダムアクセス手続きの間のランダムアクセスバックオフのための動作のフローチャートである。
【図４】本開示の一実施例によるランダムアクセス手続きの間のランダムアクセスバックオフのための動作の他のフローチャートである。
【図５】本開示の一実施例によるランダムアクセス手続きの間のランダムアクセスバックオフのための動作の他のフローチャートである。
【図６】本開示の一実施例によるランダムアクセス手続きの間のランダムアクセスバックオフのための動作の他のフローチャートである。
【図７】本開示の一実施例によるランダムアクセス手続きの間のランダムアクセスバックオフのための動作の他のフローチャートである。
【図８】本開示の一実施例によるランダムアクセス手続きの間のランダムアクセスバックオフのための動作の他のフローチャートである。
【図９】本開示の一実施例によるシステム情報ウィンドウを示す図である。
【図１０】本開示の一実施例による他のシステム情報ウィンドウを示す図である。
【図１１】本開示の一実施例による他のシステム情報ウィンドウを示す図である。
【図１２】本開示の一実施例による端末機のブロック図である。
【図１３】本開示の一実施例による基地局のブロック図である。
【発明を実施するための形態】
【００１７】
本開示の特定実施例の上述した及び他の様態、特徴及び利点は添付された図面に係って取られた次の説明からより明らかになるだろう。 
【００１８】
図面全体にかけて、同一な参照番号は同一又は類似な要素、特徴及び構造を示すために用いられるということを注目すべきである。
【００１９】
添付された図面を参照した次の説明は請求範囲及びこの均等物により定義されたように本開示の多様な実施例に対する包括的な理解を助けるために提供される。これは理解を助けるための多様な特定詳細事項を含むが、これはただ例示的なことで見なされなければならない。したがって、通常の技術者は本明細書に説明された多様な実施例の多様な変更及び修正が本開示の範囲及び思想を逸脱せず成ることができるということを認識するだろう。さらに、明瞭性及び簡潔性のためによく知られた機能及び構成に対する説明は省略されることができる。
【００２０】
次の説明及び請求範囲で用いられた用語及び単語は書誌意味に限定されず、本開示に対する明確で一貫された理解ができるようにするために用いられる。したがって、本開示の多様な実施例に対する次の説明は例示のみのために提供され、添付された請求範囲及びこの均等物により定義されたように本開示を制限するために提供されないことが通常の技術者には自明ではなければならない。
【００２１】
単数形態“ａ”、“ａｎ”及び“ｔｈｅ”は文脈が明白に異なるように指示しない限り複数対象を含むということが理解されなければならない。したがって、例えば、“構成要素表面”に対する参照はこのような表面のうちの一つ以上に対する参照を含む。
【００２２】
“実質的に”という用語は引用された特性、パラメーター又は値が正確に達成される必要はないが、例えば、許容誤差、測定エラー、測定正確度限界及び通常の技術者に知られた他の要因を含む偏差又は変動は特性が提供しようとする効果を除外しない程度で発生することができるということで意味する。
【００２３】
フローチャート(又はシーケンスダイヤグラム)のブロック及びフローチャートの組み合せがコンピュータープログラム命令語によって示されて実行されることができるということが通常の技術者は分かる。このようなコンピュータープログラム命令語は汎用コンピューター、特殊目的コンピューター又はプログラム可能なデータ処理装置のプロセッサ上にロードすることができる。ロードしたプログラム命令語がプロセッサによって実行される時、これはフローチャートで説明された機能を行う手段を生成する。コンピュータープログラム命令語が専門コンピューター又はプログラム可能なデータ処理装置で使用可能なコンピューター判読可能メモリーに記憶されることができるから、フローチャートに説明された機能を行う製品を生成することも可能である。コンピュータープログラム命令語がコンピューター又はプログラム可能なデータ処理装置上にロードすることができるから、プロセスとして実行される時、これはフローチャートに説明された機能の動作を行うことができる。
【００２４】
フローチャートのブロックは一つ以上の論理機能を具現する一つ以上の実行可能な命令語を含むモジュール、セグメント又はコードに相応することができるか、この一部に相応することができる。ある場合に、ブロックによって示された機能は羅列された手順と相違する手順で実行されることができる。例えば、シーケンスで羅列された２つのブロックは同時に実行されるか逆順に実行されることができる。
【００２５】
このような説明で、単語“ユニット”、“モジュール”などは、例えば、機能又は動作を行うことができるＦＰＧＡ(ｆｉｅｌｄ−ｐｒｏｇｒａｍｍａｂｌｅ ｇａｔｅ ａｒｒａｙ)又は注文型集積回路(ａｐｐｌｉｃａｔｉｏｎ−ｓｐｅｃｉｆｉｃ ｉｎｔｅｇｒａｔｅｄ ｃｉｒｃｕｉｔ；ＡＳＩＣ)のようなソフトウェア構成要素又はハードウェア構成要素を指称することができる。しかし、“ユニット”などはハードウェア又はソフトウェアで限定されない。ユニットなどはアドレス可能な記憶媒体に常住するか一つ以上のプロセッサを駆動するために構成されることができる。ユニットなどはソフトウェア構成要素、客体志向ソフトウェア構成要素、クラス構成要素、タスク構成要素、プロセス、機能、属性、手続き、サブルーチン、プログラムコードセグメント、ドライバー、ファームウエア、マイクロコード、回路、データ、データベース、データ構造、テーブル、アレイ又は変数を指称することができる。構成要素及びユニットが提供する機能はより小さい構成要素及びユニットの組み合せであれば良く、より大きい構成要素及びユニットを構成するために他の構成要素及びユニットと組み合わせることができる。構成要素及びユニットは保安マルチメディアカードでデバイス又は一つ以上のプロセッサを駆動するように構成されることができる。
【００２６】
詳細な説明に先立って、本開示を理解するのに必要な用語又は定義が説明される。しかし、このような用語は非制限的な方式で解釈されなければならない。
【００２７】
本明細書に用いられたように、“基地局(ＢＳ)”は好ましくはユーザ装置(ＵＥ)と通信するエンティティーであり、ＢＳ、ＢＴＳ(ｂａｓｅ ｔｒａｎｓｃｅｉｖｅｒ ｓｔａｔｉｏｎ)、ノードＢ(ｎｏｄｅ Ｂ、ＮＢ)、ｅＮＢ(ｅｖｏｌｖｅｄ ＮＢ)、アクセスポイント(ａｃｃｅｓｓ ｐｏｉｎｔ、ＡＰ)、５Ｇ ＮＢ(５ＧＮＢ)又はｇＮＢとして指称されることができる。
【００２８】
本明細書に用いられたように、“ＵＥ”は好ましくはＢＳと通信するエンティティーであり、ＵＥ、デバイス、移動局(ＭＳ)、移動装置(ＭＥ)又は端末機として指称されることができる。
【００２９】
５Ｇ無線通信システムはより高いデータ送信率を達成するためにより低い周波数帯域だけでなくより高い周波数ミリメートル波(ｍｍＷａｖｅ)帯域、例えば、１０ＧＨｚ乃至１００ＧＨｚ帯域で具現されるだろう。無線波(ｒａｄｉｏ ｗａｖｅ)の電波損失を緩和し、送信距離をふやすために、ビームフォーミング、大容量ＭＩＭＯ、ＦＤ−ＭＩＭＯ(ｆｕｌｌ ｄｉｍｅｎｓｉｏｎａｌ ＭＩＭＯ)、アレイアンテナ、アナログビームフォーミング、大規模アンテナ技術が５Ｇ無線通信システムの設計で考慮されている。また、５Ｇ無線通信システムはデータ速度、待機時間、信頼性、移動性などの側面で異なる要求事項を有する異なるユースケース(ｕｓｅ ｃａｓｅ)を処理することで期待される。しかし、５Ｇ無線通信システムの無線インターフェースの設計はユースケースによって異なる能力を有するＵＥをサービングし、ＵＥカーターサービス(ＵＥ ｃａｔｅｒ ｓｅｒｖｉｃｅ)を最終顧客にマーケットセグメント(ｍａｒｋｅｔ ｓｅｇｍｅｎｔ)するのに充分に柔軟なことで期待される。５Ｇ無線通信システムが扱うことで期待される例示的なユースケースはｅＭＢＢ(ｅｎｈａｎｃｅｄ ｍｏｂｉｌｅ ｂｒｏａｄｂａｎｄ)、ｍ−ＭＴＣ(ｍａｓｓｉｖｅ ｍａｃｈｉｎｅ ｔｙｐｅ ｃｏｍｍｕｎｉｃａｔｉｏｎ)、ＵＲＬＬ(ｕｌｔｒａ−ｒｅｌｉａｂｌｅ ｌｏｗ ｌａｔｅｎｃｙ ｃｏｍｍｕｎｉｃａｔｉｏｎ)などを含む。数十Ｇｂｐｓデータ速度、低い待機時間、高い移動性のようなｅＭＢＢ要求事項はいつでもどこでも移動中に(ｅｖｅｒｙｗｈｅｒｅ、ａｌｌ ｔｈｅ ｔｉｍｅ ａｎｄ ｏｎ ｔｈｅ ｇｏ)インターネット接続を必要とする既存の無線広帯域加入者を示すマーケットセグメントを扱う。非常に高い接続密度、珍しいデータＴＸ、非常に長いバッテリー寿命、低い移動性住所のようなｍ−ＭＴＣ要求事項は数十億個のデバイスの接続を構想するＩｏＴ／ＩｏＥを示すマーケットセグメントを扱う。非常に低い待機時間、非常に高い信頼性及び可変的移動性のようなＵＲＬＬ要求事項は産業自動化アプリケーション、自律車両のためのイネーブラー(ｅｎａｂｌｅｒ)のうちの一つとして予測される車両対車両／車両対インフラ通信を示すマーケットセグメントを扱う。
【００３０】
５Ｇ(ＮＲ又はＮｅｗ Ｒａｄｉｏともいう)無線通信システムで、ＲＡ(ｒａｎｄｏｍ ａｃｃｅｓｓ)手続きはアップリンク時間同期化を達成するのに用いられる。ＲＡ手続きは初期アクセス、ハンドオーバー、無線リソース制御(ＲＲＣ)接続再設定手続き、スケジューリングリクエスト送信、２次セルグループ(ｓｅｃｏｎｄａｒｙ ｃｅｌｌ ｇｒｏｕｐ、ＳＣＧ)付加／修正、及びＲＲＣ ＣＯＮＮＥＣＴＥＤ状態で同期化されないＵＥによるアップリンクでのデータ又は制御情報送信中に用いられる。
【００３１】
ＲＡ手続きの間の、ＵＥは先ずランダムアクセスプリアンブル(Ｍｓｇ１ともする)を送信した後、このランダムアクセスプリアンブル送信に相応するＲＡＲウィンドウでＲＡＲ(ｒａｎｄｏｍ ａｃｃｅｓｓ ｒｅｓｐｏｎｓｅ)又はＭｓｇ２を待つ。ｇＮＢ(すなわち、基地局)はＲＡ−ＲＮＴＩ(ＲＡ−Ｒａｄｉｏ ｎｅｔｗｏｒｋ ｔｅｍｐｏｒａｒｙ ｉｄｅｎｔｉｆｉｅｒ)にアドレッシングされたＰＤＳＣＨ(ｐｈｙｓｉｃａｌ ｄｏｗｎｌｉｎｋ ｓｈａｒｅｄ ｃｈａｎｎｅｌ)上でＲＡＲを送信する。ＲＡ−ＲＮＴＩはランダムアクセスプリアンブルがｇＮＢによって検出された時間−周波数リソース(ＰＲＡＣＨ(ｐｈｙｓｉｃａｌ ｒａｎｄｏｍ ａｃｃｅｓｓ ｃｈａｎｎｅｌ)オケージョン(ｏｃｃａｓｉｏｎ)、ＰＲＡＣＨ ＴＸオケージョン又はＲＡＣＨ(ｒａｎｄｏｍ ａｃｃｅｓｓ ｃｈａｎｎｅｌ)オケージョンともする)を識別する。ｇＮＢによって検出された多様なランダムアクセスプリアンブルに対する多くのＲＡＲはｇＮＢによって同一なＲＡＲ ＭＡＣ(ｍｅｄｉａ ａｃｃｅｓｓ ｃｏｎｔｒｏｌ)プロトコルデータユニット(ｐｒｏｔｏｃｏｌ ｄａｔａ ｕｎｉｔ、ＰＤＵ)で多重化されることができる。ＭＡＣ ＰＤＵのＲＡＲはＵＥによって送信されたランダムアクセスプリアンブルのＲＡＰ ＩＤ(ｒａｎｄｏｍ ａｃｃｅｓｓ ｐｒｅａｍｂｌｅ ＩＤ)を含む場合、ＵＥのランダムアクセスプリアンブル送信に相応する。ランダムアクセスプリアンブル送信に相応するＲＡＲがＲＡＲウィンドウの間に受信されず、ＵＥが設定可能な(ＲＡＣＨ設定でｇＮＢによって設定された)回数に対するランダムアクセスプリアンブルをまだ送信しない場合、ＵＥはランダムアクセスプリアンブルを再送信する。
【００３２】
ランダムアクセスプリアンブル送信に相応するＲＡＲが受信され、ＵＥが専用ランダムアクセスプリアンブルを送信した場合、ＲＡ手続きは成功したことで見なされる。ＵＥがＲＡＲの成功的な受信時に非専用(すなわち、競争基盤)ランダムアクセスプリアンブルを送信した場合、ＵＥはＲＡＲで受信されたアップリンク(ＵＬ)グラント(ｇｒａｎｔ)でＭｓｇ３を送信する。Ｍｓｇ３はＲＲＣ接続リクエスト、ＲＲＣ接続再設定リクエスト、ＲＲＣハンドオーバー確認、スケジューリングリクエストなどのようなメッセージを含む。これはさらにＵＥアイデンティティー(すなわち、Ｃ−ＲＮＴＩ(Ｃｅｌｌ−ＲＮＴＩ)又はＳ−ＴＭＳＩ(ｓｙｓｔｅｍ ａｒｃｈｉｔｅｃｔｕｒｅ ｅｖｏｌｕｔｉｏｎ−ｔｅｍｐｏｒａｒｙ ｍｏｂｉｌｅ ｓｕｂｓｃｒｉｂｅｒ ｉｄｅｎｔｉｔｙ)又はランダム番号)を含む。Ｍｓｇ３を送信した後、ＵＥは競争解決タイマーを開始する。競争解決タイマーが実行される間、ＵＥがＭｓｇ３に含まれたＣ−ＲＮＴＩにアドレッシングされたＰＤＣＣＨ(ｐｈｙｓｉｃａｌ ｄｏｗｎｌｉｎｋ ｃｏｎｔｒｏｌ ｃｈａｎｎｅｌ)を受信すると、競争解決は成功的なことで見なされ、競争解決タイマーは停止され、ＲＡ手続きは完了される。競争解決タイマーが実行される間、ＵＥはＵＥのＣｏｎｔｅｎｔｉｏｎ Ｒｅｓｏｌｕｔｉｏｎ Ｉｄｅｎｔｉｔｙ(ＭＳｇ３で送信されたＣＣＣＨ(ｃｏｍｍｏｎ ｃｏｎｔｒｏｌ ｃｈａｎｎｅｌ)ＳＤＵ(ｓｅｒｖｉｃｅ ｄａｔａ ｕｎｉｔ)の初めＸビット)を含む競争解決ＭＡＣ制御要素(ＣＥ)を受信すると、競争解決は成功的なことで見なされ、競争解決タイマーは停止され、ＲＡ手続きは完了される。競争解決タイマーが満了され、ＵＥが設定可能な回数に対するランダムアクセスプリアンブルをまだ送信しない場合、ＵＥはランダムアクセスプリアンブルを再送信する。
【００３３】
ある場合に、ＰＲＡＣＨチャンネル上には混雑(ｃｏｎｇｅｓｔｉｏｎ)が発生する可能性があり、混雑を緩和するために、ｇＮＢはＲＡＲ ＭＡＣ ＰＤＵでバックオフインジケーター(ｂａｃｋｏｆｆ ｉｎｄｉｃａｔｏｒ)を送信する。そんな後、ＵＥはランダムアクセスプリアンブル再送信中にバックオフを適用し、すなわち、これは０とバックオフ値の間又は０と｛スケーリング係数｝＊｛バックオフ値｝の間でがランダムに選択された期間後にランダムアクセスプリアンブルを再送信する。スケーリング係数はランダムアクセスをトリガーリングする一つ以上のイベント(例えば、ハンドオーバー、ビーム障害回復など)に対してｇＮＢによってシグナリングされることができる。スケーリング係数がシグナリングされない場合、これは１であることで仮定される。バックオフ値はＲＡＲ ＭＡＣ ＰＤＵで受信されたバックオフインデックス(ｂａｃｋｏｆｆ ｉｎｄｅｘ、ＢＩ)に相応するバックオフテーブル(予め定義される)からＵＥによって獲得される。現在バックオフ手続きによれば、ランダムアクセスプリアンブル送信に相応するＲＡＲがＲＡＲウィンドウの間に受信されず、ＵＥが設定可能な回数に対するランダムアクセスプリアンブルをまだ送信しない場合と、進行中のＲＡ手続きでランダムアクセスプリアンブルが競争基盤ランダムアクセスプリアンブル中で選択されると、ＵＥは０とバックオフ値の間又は０と｛スケーリング係数｝＊｛バックオフ値｝の間の均一な分布によってランダムバックオフ時間を選択し、後続ランダムアクセスプリアンブル送信を選択されたバックオフ時間だけ遅延させる。付加的に、ＲＡ手続きの間の競争解決タイマーが満了され、ＵＥが設定可能な回数に対するランダムアクセスプリアンブルをまだ送信しない場合、ＵＥは０とバックオフ値の間又は０と｛スケーリング係数｝＊｛バックオフ値｝ の間の均一な分布によってランダムバックオフ時間を選択し、後続ランダムアクセスプリアンブル送信を選択されたバックオフ時間だけ遅延させる。
【００３４】
図１は、本開示の一実施例による無競争(又は、非競争)ランダムアクセスプリアンブルの送信を例示する。
【００３５】
図１を参照すれば、無競争ランダムアクセスリソースがＵＥに設定される場合、ＲＡ手続きの間の第Ｎランダムアクセスプリアンブル送信は競争基盤ランダムアクセスプリアンブル１０５、１１０及び１１５に基づくことができる。すべての後続の第(Ｎ＋１)ランダムアクセスプリアンブル送信は図１に示されたように無競争ランダムアクセスプリアンブル１２０に基づくことができる。現在のバックオフ手続き１２５はＵＥが第Ｎランダムアクセスプリアンブル送信１０５及び１１０を送信した後のｇＮＢからバックオフ指示を受信した場合、第Ｎ＋１ランダムアクセスプリアンブル送信を不必要に遅延させる。この場合に、ＵＥは無競争ランダムアクセスリソースが利用することができる少なくとも一つの適切なＳＳＢ(ｓｙｎｃｈｒｏｎｉｚａｔｉｏｎ ｓｉｇｎａｌ ｂｌｏｃｋ)／ＣＳＩ−ＲＳ(ｃｈａｎｎｅｌ ｓｔａｔｅ ｉｎｆｏｒｍａｔｉｏｎ ｒｅｆｅｒｅｎｃｅ ｓｉｇｎａｌ)がある場合、無競争ランダムアクセスプリアンブルを選択する。
【００３６】
図２は、本開示の一実施例による競争基盤ランダムアクセスプリアンブルの送信を例示する。
【００３７】
図２を参照すれば、無競争ランダムアクセスリソース２０５がＵＥに設定され、第Ｎランダムアクセスプリアンブル送信は無競争ランダムアクセスプリアンブル２１０、２１５及び２２０に基づくことができる。すべての後続の第(Ｎ＋１)ランダムアクセスプリアンブル送信は図２に示されたように競争基盤ランダムアクセスプリアンブル２２０に基づくことができる。ＵＥが競争基盤ランダムアクセスプリアンブルを用いて再送信するので、第Ｎ＋１送信の前にバックオフが適用されなければならない。しかし、バックオフはより多い衝突及び、したがってより多い遅延をもたらすことができる現在のバックオフ手続き２２５に適用されない。
【００３８】
本開示の様態によれば、ランダムアクセスバックオフの向上した方法が提供される。
【００３９】
実施例１
図３は、本開示の一実施例によるランダムアクセス手続きの間のランダムアクセスバックオフのための動作のフローチャートである。
図３を参照すれば、一実施例で、ＵＥはランダムアクセスプリアンブル送信に相応するＲＡＲがＲＡＲウィンドウの間に受信されず、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにＲＡ手続きの間の競争解決タイマーが満了され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにランダムアクセスプリアンブル送信に相応するＲＡＲがＲＡＲウィンドウの間に受信されず、バックオフインジケーターがＲＡＲで受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、２段階ＲＡＣＨ手続きで、ＵＥはさらにＭｓｇ３を送信するために示すかＵＥによって送信されたＭｓｇＡの成功的な受信を示すネットワーク応答が応答ウィンドウの間に受信されず、バックオフインジケーターがネットワーク応答で受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。
【００４０】
動作３０５で、ＵＥは０とＰＲＥＡＭＢＬＥ＿ＢＡＣＫＯＦＦの間の均一な分布によってランダムバックオフ時間を選択する。ＰＲＥＡＭＢＬＥ＿ＢＡＣＫＯＦＦはバックオフ値で設定されるかスケーリング係数が進行中のランダムアクセス手続きのためにｇＮＢによって設定される場合、スケーリング係数＊バックオフ値で設定される。バックオフ値はこのようなランダムアクセス手続きの間のｇＮＢから受信されたバックオフインデックスに相応するバックオフテーブルからＵＥによって獲得される。
【００４１】
動作３１０で、ＵＥは決定されたバックオフ時間の間のバックオフタイマーを開始する。
【００４２】
動作３２５で、バックオフタイマーが実行中の間の無競争ランダムアクセスリソースを選択する基準が充足されるかが決定される。
そうであれば、ＵＥは動作３３５でバックオフタイマーを停止する。
そうではなければ、ＵＥは動作３３０でバックオフタイマーが満了されたかを確認し、そうであれば、動作３４０でランダムアクセスリソース選択を行って(すなわち、ランダムアクセスプリアンブル及びＲＡＣＨオケージョンを選択して)、ランダムアクセスプリアンブルを送信する。無競争ランダムアクセスリソースを選択する基準が充足されるので、ＵＥはランダムアクセスリソース選択を行うため(すなわち、ランダムアクセスプリアンブル及びＲＡＣＨオケージョンを選択するため)バックオフ時間の完了を待たずに、ランダムアクセスプリアンブルを送信する。
【００４３】
進行中のＲＡに対する無競争ランダムアクセスリソースがＳＳＢ／ＣＳＩ ＲＳと連関される場合、又はＲＡ手続きがＰＤＣＣＨ オーダーによって開始してＰＤＣＣＨオーダーが０ではないｒａ−ｐｒｅａｍｂｌｅインデックスを含む場合、バックオフを開始する時の一度ずつＵＥはバックオフ時間の間又はＳＳＢ／ＣＳＩＲＳの新しい測定が利用することができる度に周期的に無競争ランダムアクセスリソースを選択する基準をチェックすることができる。
【００４４】
ここで、無競争ランダムアクセスリソースを選択する基準が詳しく説明される。
【００４５】
ＳＳＢ及び／又はＣＳＩＲＳと連関された無競争ランダムアクセスリソースが(ビーム障害回復以外の)進行中のＲＡ手続きの間のＵＥでシグナリングされ、連関されたＳＳＢ又はＣＳＩ ＲＳのうちの少なくとも一つの信号品質(すなわち、基準信号受信電力(ｒｅｆｅｒｅｎｃｅ ｓｉｇｎａｌ ｒｅｃｅｉｖｅｄ ｐｏｗｅｒ、ＲＳＲＰ))が(ｇＮＢによってシグナリングされる)しきい値を超過すると、無競争ランダムアクセスリソースを選択する基準は充足されることで見なされる。
【００４６】
このようなＲＡ手続きがＰＤＣＣＨオーダーによって開始され、ＰＤＣＣＨオーダーが０ではないｒａ−ｐｒｅａｍｂｌｅインデックスを含む場合、無競争ランダムアクセスリソースを選択する基準はさらに充足されることで見なされる。
【００４７】
ＲＡ手続きがビームエラー回復のために開始され、ビームエラー回復タイマーが実行中であるか設定されない場合、及びＳＳＢ及び／又はＣＳＩ ＲＳと連関された無競争ランダムアクセスリソースが進行中のＲＡ手続きの間のＵＥでシグナリングされ、連関されたＳＳＢ又はＣＳＩ ＲＳのうちの少なくとも一つの信号品質(すなわち、基準信号受信電力(ＲＳＲＰ))が(ｇＮＢによってシグナリングされる)しきい値を超過すると、無競争ランダムアクセスリソースを選択する基準はさらに充足されることで見なされる。
【００４８】
バックオフタイマーが満了されると、ＵＥはランダムアクセスリソース選択を行って(すなわち、ランダムアクセスプリアンブル及びＲＡＣＨオケージョンを選択して)、ランダムアクセスプリアンブルを送信する。
【００４９】
実施例１−１
ランダムアクセス応答受信手続き
【００５０】
ランダムアクセスプリアンブルが送信され、測定ギャップの発生可能性にかかわらず、ＭＡＣエンティティーは次を行わなければならない：
１＞ビーム障害回復リクエストのための無競争ランダムアクセスプリアンブルがＭＡＣエンティティーによって送信された場合：
２＞ＴＳ３８．２１３［６］に明示されたようにランダムアクセスプリアンブル送信の終りから第１ＰＤＣＣＨオケージョンでＢｅａｍＦａｉｌｕｒｅＲｅｃｏｖｅｒｙＣｏｎｆｉｇに設定されたｒａ−ＲｅｓｐｏｎｓｅＷｉｎｄｏｗを開始して；
２＞ｒａ−ＲｅｓｐｏｎｓｅＷｉｎｄｏｗが実行中の間のＣ−ＲＮＴＩによって識別されたビーム障害回復リクエストに対する応答のためにＳｐＣｅｌｌのＰＤＣＣＨをモニタリングする。
【００５１】
１＞そうではなければ：
２＞ＴＳ３８．２１３［６］に明示されたようにランダムアクセスプリアンブル送信の終りから第１ＰＤＣＣＨオケージョンでＲＡＣＨ−ＣｏｎｆｉｇＣｏｍｍｏｎに設定されたｒａ−ＲｅｓｐｏｎｓｅＷｉｎｄｏｗを開始する；
２＞ｒａ−ＲｅｓｐｏｎｓｅＷｉｎｄｏｗが実行中の間のＲＡ−ＲＮＴＩによって識別されたランダムアクセス応答のためにＳｐＣｅｌｌのＰＤＣＣＨをモニタリングする。
【００５２】
１＞ＰＤＣＣＨ送信の受信の通知が下位階層から受信される場合；及び
１＞ＰＤＣＣＨ送信がＣ−ＲＮＴＩにアドレッシングされる場合；及び
１＞ビーム障害回復リクエストのための無競争ランダムアクセスプリアンブルがＭＡＣエンティティーによって送信された場合：
２＞ランダムアクセス手続きが成功的に完了されたことで見なす。
【００５３】
１＞そうではなければ、ダウンリンク割り当てがＲＡ−ＲＮＴＩに対するＰＤＣＣＨ上で受信され、受信されたＴＢが成功的にデコーディングされた場合：
２＞ランダムアクセス応答がバックオフインジケーターを有するＭＡＣ ｓｕｂＰＤＵを含む場合：
３＞ＴＳ ３８．３２１の表７．２−１を用いてＰＲＥＡＭＢＬＥ＿ＢＡＣＫＯＦＦをＭＡＣ ｓｕｂＰＤＵのＢＩフィールドの値で設定する。
【００５４】
２＞そうではなければ：
３＞ＰＲＥＡＭＢＬＥ＿ＢＡＣＫＯＦＦを０ｍｓで設定する。
２＞ランダムアクセス応答が送信されたＰＲＥＡＭＢＬＥ＿ＩＮＤＥＸに相応するランダムアクセスプリアンブル識別子を有するＭＡＣｓｕｂＰＤＵを含む場合(下位条項５．１．３参照)：
３＞このようなランダムアクセス応答受信が成功的なことで見なす。
【００５５】
２＞ランダムアクセス応答受信が成功的なことで見なされる場合：
３＞ランダムアクセス応答がＲＡＰＩＤのみを有するＭＡＣ ｓｕｂＰＤＵを含む場合：
４＞このようなランダムアクセス手続きは成功的に完了されたことで見なして；
４＞ＳＩリクエストに対する確認応答(ａｃｋｎｏｗｌｅｄｇｅｍｅｎｔ)を上位階層に示す。
【００５６】
３＞そうではなければ：
４＞ランダムアクセスプリアンブルが送信されたサービングセルに対して次の動作を適用して；
５＞受信されたタイミングアドバンス(ａｄｖａｎｃｅ)命令を処理して(ＴＳ ３８．３２１の下位条項５．２参照)；
５＞ｐｒｅａｍｂｌｅＲｅｃｅｉｖｅｄＴａｒｇｅｔＰｏｗｅｒ及び最も最近のランダムアクセスプリアンブル送信に適用された電力ラムピングの量を下位階層(すなわち、(ＰＲＥＡＭＢＬＥ＿ＰＯＷＥＲ＿ＲＡＭＰＩＮＧ＿ＣＯＵＮＴＥＲ−１)Ｘ ｐｏｗｅｒＲａｍｐｉｎｇＳｔｅｐ)に示されて；
５＞ランダムアクセス手続きのためのサービングセルがＳＲＳ専用ＳＣｅｌｌの場合：
６＞受信されたＵＬグラントを無視する。
【００５７】
５＞そうではなければ：
６＞受信されたＵＬグラント値を処理して下位階層に示す。
【００５８】
４＞ランダムアクセスプリアンブルが競争基盤ランダムアクセスプリアンブルのうちのＭＡＣエンティティーによって選択されない場合：
５＞ランダムアクセス手続きが成功的に完了されたことで見なす。
【００５９】
４＞そうではなければ：
５＞ＴＥＭＰＯＲＡＲＹ＿Ｃ−ＲＮＴＩをランダムアクセス応答で受信された値で設定して；
５＞これがこのようなランダムアクセス手続き内で成功的に受信された第１ランダムアクセス応答の場合：
６＞ＣＣＣＨ論理チャンネルに対して送信が行なわれない場合：
７＞後続アップリンク送信にＣ−ＲＮＴＩ ＭＡＣ ＣＥを含むように多重化及びアセンブリーエンティティーに示す。
【００６０】
６＞多重化及びアセンブリーエンティティーから送信するＭＡＣ ＰＤＵを獲得してＭｓｇ３バッファーに記憶する。
【００６１】
１＞ＲＡＣＨ−ＣｏｎｆｉｇＣｏｍｍｏｎに設定されたｒａ−ＲｅｓｐｏｎｓｅＷｉｎｄｏｗが満了され、送信されたＰＲＥＡＭＢＬＥ＿ＩＮＤＥＸと一致するランダムアクセスプリアンブル識別子を含むランダムアクセス応答が受信されない場合；又は：
１＞ＢｅａｍＦａｉｌｕｒｅＲｅｃｏｖｅｒｙＣｏｎｆｉｇに設定されたｒａ−ＲｅｓｐｏｎｓｅＷｉｎｄｏｗが満了され、Ｃ−ＲＮＴＩでアドレッシングされたＰＤＣＣＨが受信されない場合：
２＞ランダムアクセス応答受信が成功的ではないことで見なして；
２＞ＰＲＥＡＭＢＬＥ＿ＴＲＡＮＳＭＩＳＳＩＯＮ＿ＣＯＵＮＴＥＲを１ずつ増加させて；
２＞ＰＲＥＡＭＢＬＥ＿ＴＲＡＮＳＭＩＳＳＩＯＮ＿ＣＯＵＮＴＥＲ＝ｐｒｅａｍｂｌｅＴｒａｎｓＭａｘ＋１の場合：
３＞ランダムアクセスプリアンブルがＳｐＣｅｌｌ上で送信される場合：
４＞ランダムアクセス問題を上位階層に示されて；
４＞ＳＩリクエストに対してランダムアクセス手続きがトリガーリングされる場合：
５＞ランダムアクセス手続きが成功的に完了しないことで見なす。
【００６２】
３＞そうではなければ、ランダムアクセスプリアンブルがＳＣｅｌｌ上で送信される場合：
４＞ランダムアクセス手続きが成功的に完了されないことで見なす。
【００６３】
２＞ランダムアクセス手続きが完了されない場合：
３＞０とＰＲＥＡＭＢＬＥ＿ＢＡＣＫＯＦＦの間の均一な分布によってランダムバックオフ時間を選択して；
３＞バックオフタイマーを開始する。
【００６４】
３＞バックオフタイマーが実行中の間(言い換えれば、バックオフ時間の間)無競争ランダムアクセスリソースを選択する基準(ＴＳ３８．３２１の下位条項５．１．２に定義される)が充足される場合：
４＞バックオフタイマーを停止して；
４＞ランダムアクセスリソース選択手続きを行う(ＴＳ３８．３２１の下位条項５．１．２参照)。
【００６５】
３＞バックオフタイマーが満了されると(言い換えれば、バックオフ時間以後)、ランダムアクセスリソース選択手続きを行う(ＴＳ３８．３２１の下位条項５．１．２参照)。
【００６６】
競争解決手続き
競争解決はＳｐＣｅｌｌのＰＤＣＣＨ上のＣ−ＲＮＴＩ又はＤＬ−ＳＣＨ上のＵＥ競争解決アイデンティティーを基盤とする。
【００６７】
Ｍｓｇ３が送信されると、ＭＡＣエンティティーは次を行わなければならない：
１＞ｒａ−ＣｏｎｔｅｎｔｉｏｎＲｅｓｏｌｕｔｉｏｎＴｉｍｅｒを開始し、それぞれのＨＡＲＱ再送信でｒａ−ＣｏｎｔｅｎｔｉｏｎＲｅｓｏｌｕｔｉｏｎＴｉｍｅｒをさらに開始して；
１＞測定ギャップの発生可能性にかかわらずｒａ−ＣｏｎｔｅｎｔｉｏｎＲｅｓｏｌｕｔｉｏｎＴｉｍｅｒが実行中の間のＰＤＣＣＨをモニタリングして；
１＞ＰＤＣＣＨ送信の受信通知が下位階層から受信される場合：
２＞Ｃ−ＲＮＴＩ ＭＡＣ ＣＥがＭｓｇ３に含まれた場合：
３＞ランダムアクセス手続きがＭＡＣ下位階層(ｓｕｂｌａｙｅｒ)自体又はＲＲＣ下位階層によって開始され、ＰＤＣＣＨ送信がＣ−ＲＮＴＩにアドレッシングされ、新しい送信のためのＵＬグラントを含む場合；又は
３＞ランダムアクセス手続きがＰＤＣＣＨオーダーによって開始され、ＰＤＣＣＨ送信がＣ−ＲＮＴＩにアドレッシングされる場合；又は
３＞ランダムアクセス手続きが(ＴＳ ３８．３２１の下位条項５．１７に明示されたように)ビーム障害回復のために開始され、ＰＤＣＣＨ送信がＣ−ＲＮＴＩにアドレッシングされる場合：
４＞このような競争解決が成功的なことで見なして；
４＞ｒａ−ＣｏｎｔｅｎｔｉｏｎＲｅｓｏｌｕｔｉｏｎＴｉｍｅｒを停止して；
４＞ＴＥＭＰＯＲＡＲＹ＿Ｃ−ＲＮＴＩを廃棄して；
４＞ このようなランダムアクセス手続きが成功的に完了されたことで見なす。
【００６８】
２＞ そうではなければ、ＣＣＣＨ ＳＤＵがＭｓｇ３に含まれており、ＰＤＣＣＨ送信がＴＥＭＰＯＲＡＲＹ＿Ｃ−ＲＮＴＩにアドレッシングされる場合：
３＞ ＭＡＣ ＰＤＵが成功的にデコーディングされる場合：
４＞ｒａ−ＣｏｎｔｅｎｔｉｏｎＲｅｓｏｌｕｔｉｏｎＴｉｍｅｒを停止して；
４＞ＭＡＣ ＰＤＵがＵＥ競争解決アイデンティティーＭＡＣ ＣＥを含む場合；
及び
４＞ＭＡＣ ＣＥのＵＥ競争解決アイデンティティーがＭｓｇ３で送信されたＣＣＣＨ ＳＤＵと一致する場合：
５＞このような競争解決が成功的なことで見なし、ＭＡＣ ＰＤＵの分解(ｄｉｓａｓｓｅｍｂｌｙ)及び逆多重化(ｄｅｍｕｌｔｉｐｌｅｘｉｎｇ)を完了して；
５＞このようなランダムアクセス手続きがＳＩリクエストのために開始された場合：
６＞ＳＩリクエストに対する確認応答の受信を上位階層に示す。
【００６９】
５＞そうではなければ：
６＞Ｃ−ＲＮＴＩをＴＥＭＰＯＲＡＲＹ＿Ｃ−ＲＮＴＩの値で設定して；
５＞ＴＥＭＰＯＲＡＲＹ＿Ｃ−ＲＮＴＩを廃棄して；
５＞このようなランダムアクセス手続きが成功的に完了されたことで見なす。
【００７０】
４＞そうではなければ
５＞ＴＥＭＰＯＲＡＲＹ＿Ｃ−ＲＮＴＩを廃棄して；
５＞このような競争解決が成功的ではないことで見なし、成功的にデコーディングされたＭＡＣ ＰＤＵを廃棄する。
【００７１】
１＞ｒａ−ＣｏｎｔｅｎｔｉｏｎＲｅｓｏｌｕｔｉｏｎＴｉｍｅｒが満了された場合：
２＞ＴＥＭＰＯＲＡＲＹ＿Ｃ−ＲＮＴＩを廃棄して；
２＞競争解決が成功的ではないことで見なす。
【００７２】
１＞競争解決が成功することができないことで見なされる場合：
２＞Ｍｓｇ３バッファーでＭＡＣ ＰＤＵの送信のために用いられるＨＡＲＱバッファーをフラッシュ(ｆｌｕｓｈ)する。
【００７３】
２＞ＰＲＥＡＭＢＬＥ＿ＴＲＡＮＳＭＩＳＳＩＯＮ＿ＣＯＵＮＴＥＲを１ずつ増加させて；
２＞ＰＲＥＡＭＢＬＥ＿ＴＲＡＮＳＭＩＳＳＩＯＮ＿ＣＯＵＮＴＥＲ＝ｐｒｅａｍｂｌｅＴｒａｎｓＭａｘ＋１の場合：
３＞ランダムアクセス問題を上位階層に示されて；
３＞このようなランダムアクセス手続きがＳＩリクエストのためにトリガーリングされる場合：
４＞ランダムアクセス手続きが成功的に完了されないことで見なす。
【００７４】
２＞ランダムアクセス手続きが完了されない場合：
３＞０とＰＲＥＡＭＢＬＥ＿ＢＡＣＫＯＦＦの間の均一な分布によってランダムバックオフ時間を選択して；
３＞バックオフタイマーを開始する。
【００７５】
３＞無競争ランダムアクセスリソースがＲＲＣによって明示的に提供され、バックオフタイマーが実行中の間(すなわち、バックオフ時間の間)の無競争ランダムアクセスリソースを選択する基準(ＴＳ３８．３２１の下位条項５．１．２に定義される)が充足される場合：
４＞バックオフタイマーを停止して；
４＞ランダムアクセスリソース選択手続きを行う(ＴＳ３８．３２１の下位条項５．１．２参照)。
【００７６】
３＞バックオフタイマーが満了されると(すなわち、バックオフ時間以後)、ランダムアクセスリソース選択手続きを行う(ＴＳ ３８．３２１の下位条項５．１．２参照)。
【００７７】
実施例２
図４は、本開示の一実施例によるランダムアクセス手続きの間のランダムアクセスバックオフのための動作の他のフローチャートである。
図４を参照すれば、ＵＥはランダムアクセスプリアンブル送信に相応するＲＡＲがＲＡＲウィンドウの間に受信されず、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにＲＡ手続きの間の競争解決タイマーが満了され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにランダムアクセスプリアンブル送信に相応するＲＡＲがＲＡＲウィンドウの間に受信されず、バックオフインジケーターがＲＡＲで受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、２段階ＲＡＣＨ手続きで、ＵＥはさらにＭｓｇ３を送信するために示すかＵＥによって送信された ＭｓｇＡの成功的な受信を示すネットワーク応答が応答ウィンドウの間に受信されず、バックオフインジケーターがネットワーク応答で受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。
【００７８】
このようなＲＡ手続きが動作４０５でＰＤＣＣＨ オーダーによって開始され、ＰＤＣＣＨ オーダーが００００００ではないｒａ−ｐｒｅａｍｂｌｅＩｎｄｅｘを含むと、動作は動作４１０へ進行する。そうではなければ、動作は動作４１５へ進行する。
【００７９】
動作４１５で、０とＰＲＥＡＭＢＬＥ＿ＢＡＣＫＯＦＦの間の均等分布によってランダムバックオフ時間が選択される。ＰＲＥＡＭＢＬＥ＿ＢＡＣＫＯＦＦはバックオフ値で設定されるか、スケーリング係数が進行中のランダムアクセス手続きの間のｇＮＢによって設定される場合、スケーリング係数＊バックオフ値で設定される。バックオフ値はＲＡＲ ＭＡＣ ＰＤＵで受信されたバックオフインデックスに相応するバックオフテーブルからＵＥによって獲得される。
【００８０】
動作４２０で、決定されたバックオフ時間の間のバックオフタイマーが開始される。
【００８１】
動作４３５で、バックオフタイマーが実行中の間の無競争ランダムアクセスリソースを選択する基準が充足されると、動作４４５でバックオフタイマーが停止される。
【００８２】
ここで、無競争ランダムアクセスリソースを選択する基準が詳しく説明される。
【００８３】
ＳＳＢ及び／又はＣＳＩ ＲＳと連関された無競争ランダムアクセスリソースが(ビーム障害回復以外の)進行中のＲＡ手続きの間のＵＥでシグナリングされ、連関されたＳＳＢ又はＣＳＩ ＲＳのうちの少なくとも一つの信号品質(すなわち、ＲＳＲＰ)が(ｇＮＢによってシグナリングされる)しきい値を超過すると、無競争ランダムアクセスリソースを選択する基準は充足されることで見なされる。
【００８４】
ＲＡ手続きがビームエラー回復のために開始され、ビームエラー回復タイマーが実行中であるか設定されない場合、及びＳＳＢ及び／又はＣＳＩ ＲＳと連関された無競争ランダムアクセスリソースが進行中のＲＡ手続きの間のＵＥでシグナリングされ、連関されたＳＳＢ又はＣＳＩ ＲＳのうちの少なくとも一つの信号品質(すなわち、基準信号受信電力(ＲＳＲＰ))が(ｇＮＢによってシグナリングされる)しきい値を超過すると、無競争ランダムアクセスリソースを選択する基準はさらに充足されることで見なされる。
【００８５】
動作４５０で、ランダムアクセスリソース選択(すなわち、ランダムアクセスプリアンブル及びＲＡＣＨオケージョンを選択する)が行われ、ランダムアクセスプリアンブルが送信される。
【００８６】
動作４４０で、バックオフタイマーが満了されると、ＵＥはランダムアクセスリソース選択を行って(すなわち、ランダムアクセスプリアンブル及びＲＡＣＨオケージョンを選択して)、ランダムアクセスプリアンブルを送信する。
【００８７】
実施例３
図５は、本開示の一実施例によるランダムアクセス手続きの間のランダムアクセスバックオフのための動作の他のフローチャートである。
【００８８】
図５を参照すれば、ＵＥはランダムアクセスプリアンブル送信に相応するＲＡＲがＲＡＲウィンドウの間に受信されず、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにＲＡ手続きの間の競争解決タイマーが満了され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにランダムアクセスプリアンブル送信に相応するＲＡＲがＲＡＲウィンドウの間に受信されず、バックオフインジケーターがＲＡＲで受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、２段階ＲＡＣＨ手続きで、ＵＥはさらにＭｓｇ３を送信するために示すかＵＥによって送信されたＭｓｇＡの成功的な受信を示すネットワーク応答が応答ウィンドウの間に受信されず、バックオフインジケーターがネットワーク応答で受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。
【００８９】
このようなＲＡ手続きの間の動作５０５で、ｇＮＢがすべてのＳＳＢ及び／又はＣＳＩ ＲＳに対して無競争ランダムアクセスリソースを設定した場合、動作は動作５１０へ進行する。そうではなければ、動作は動作５１５へ進行する。
【００９０】
動作５１５で、０とＰＲＥＡＭＢＬＥ＿ＢＡＣＫＯＦＦの間の均等分布によってランダムバックオフ時間が選択される。ＰＲＥＡＭＢＬＥ＿ＢＡＣＫＯＦＦはバックオフ値で設定されるか、スケーリング係数が進行中のランダムアクセス手続きの間のｇＮＢによって設定される場合、スケーリング係数＊バックオフ値で設定される。バックオフ値はＲＡＲ ＭＡＣ ＰＤＵで受信されたバックオフインデックスに相応するバックオフテーブルからＵＥによって獲得される。
【００９１】
動作５２０で、決定されたバックオフ時間の間のバックオフタイマーが開始される。
【００９２】
動作５２５へ進行中のランダムアクセス手続きの間のｇＮＢによって無競争ランダムアクセスリソースがシグナリングされ、動作５３５で、バックオフタイマーが実行中の間の無競争ランダムアクセスリソースを選択する基準が充足されると、動作５４５でバックオフタイマーが停止される。
【００９３】
無競争ランダムアクセスリソースがｇＮＢによって設定されない場合、ＵＥは動作５３０でバックオフタイマーが満了される時にランダムアクセスリソースを選択し、ランダムアクセスプリアンブルを基地局(ｇＮＢ)に送信する。
【００９４】
ここで、無競争ランダムアクセスリソースを選択する基準が詳しく説明される。
【００９５】
ＳＳＢ及び／又はＣＳＩ ＲＳと連関された無競争ランダムアクセスリソースが(ビーム障害回復以外の)進行中のＲＡ手続きの間のＵＥでシグナリングされ、連関されたＳＳＢ又はＣＳＩ ＲＳのうちの少なくとも一つの信号品質(すなわち、ＲＳＲＰ)が(ｇＮＢによってシグナリングされる)しきい値を超過すると、無競争ランダムアクセスリソースを選択する基準は充足されることで見なされる。
【００９６】
このようなＲＡ手続きがＰＤＣＣＨオーダーによって開始され、ＰＤＣＣＨオーダーが０ではないｒａ−ｐｒｅａｍｂｌｅインデックスを含む場合、無競争ランダムアクセスリソースを選択する基準はさらに充足されることで見なされる。
【００９７】
ＲＡ手続きがビームエラー回復のために開始され、ビームエラー回復タイマーが実行中であるか設定されない場合、及びＳＳＢ及び／又はＣＳＩ ＲＳと連関された無競争ランダムアクセスリソースが進行中のＲＡ手続きの間のＵＥでシグナリングされ、連関されたＳＳＢ又はＣＳＩ ＲＳのうちの少なくとも一つの信号品質(すなわち、基準信号受信電力(ＲＳＲＰ))が(ｇＮＢによってシグナリングされる)しきい値を超過すると、無競争ランダムアクセスリソースを選択する基準はさらに充足されることで見なされる。
【００９８】
動作５５０で、ランダムアクセスリソース選択(すなわち、ランダムアクセスプリアンブル及びＲＡＣＨオケージョンを選択する)が行われ、ランダムアクセスプリアンブルが送信される。
【００９９】
動作５４０で、バックオフタイマーが満了されると、ＵＥはランダムアクセスリソース選択を行って(すなわち、ランダムアクセスプリアンブル及びＲＡＣＨオケージョンを選択して)、ランダムアクセスプリアンブルを送信する。
【０１００】
実施例４
図６は、本開示の一実施例によるランダムアクセス手続きの間のランダムアクセスバックオフのための動作の他のフローチャートである。
【０１０１】
図６を参照すれば、ＵＥはランダムアクセスプリアンブル送信に相応するＲＡＲがＲＡＲウィンドウの間の受信されず、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、２段階ＲＡＣＨ 手続きで、ＵＥはさらに Ｍｓｇ３を送信するために示すかＵＥによって送信されたＭｓｇＡの成功的な受信を示すネットワーク応答が応答ウィンドウの間に受信されず、バックオフインジケーターがネットワーク応答で受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。
【０１０２】
このようなＲＡ手続きの間の動作６０５で、無競争ランダムアクセスリソースはＲＲＣ又はＰＤＣＣＨ オーダーによって明示的にシグナリングされる場合、動作は動作６１０へ進行する。そうではなければ、動作は動作６１５へ進行する。
【０１０３】
動作６１５で、０とＰＲＥＡＭＢＬＥ＿ＢＡＣＫＯＦＦの間の均等分布によってランダムバックオフ時間が選択される。ＰＲＥＡＭＢＬＥ＿ＢＡＣＫＯＦＦはバックオフ値で設定されるか、スケーリング係数が進行中のランダムアクセス手続きの間のｇＮＢによって設定される場合、スケーリング係数＊バックオフ値で設定される。バックオフ値はＲＡＲ ＭＡＣ ＰＤＵで受信されたバックオフインデックスに相応するバックオフテーブルからＵＥによって獲得される。
【０１０４】
動作６２０で、後続ランダムアクセスプリアンブル送信はバックオフ時間だけ遅延される。
【０１０５】
動作６２５で、ランダムアクセスリソース選択(すなわち、ランダムアクセスプリアンブル及びＲＡＣＨオケージョンの選択)が行われ、ランダムアクセスプリアンブルは送信される。
【０１０６】
実施例５
図７は、本開示の一実施例によるランダムアクセス手続きの間のランダムアクセスバックオフのための動作の他のフローチャートである。
図７を参照すれば、ＵＥはランダムアクセスプリアンブル送信に相応するＲＡＲがＲＡＲウィンドウの間に受信されず、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、２段階ＲＡＣＨ 手続きで、ＵＥはさらにＭｓｇ３を送信するために示すかＵＥによって送信された ＭｓｇＡの成功的な受信を示すネットワーク応答が応答ウィンドウの間に受信されず、バックオフインジケーターがネットワーク応答で受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。
【０１０７】
最も最近のプリアンブル送信の間の動作７０５で、競争基盤ランダムアクセスプリアンブルのうちのランダムアクセスプリアンブルが選択されない場合、動作は動作７１０へ進行する。そうではなければ、最も最近のプリアンブル送信の間、競争基盤ランダムアクセスプリアンブルのうちのランダムアクセスプリアンブルが選択された場合、動作は動作７１５へ進行する。
【０１０８】
動作７１５で、０とＰＲＥＡＭＢＬＥ＿ＢＡＣＫＯＦＦの間の均等分布によってランダムバックオフ時間が選択される。ＰＲＥＡＭＢＬＥ＿ＢＡＣＫＯＦＦはバックオフ値で設定されるか、スケーリング係数が進行中のランダムアクセス手続きの間のｇＮＢによって設定される場合、スケーリング係数＊バックオフ値で設定される。バックオフ値はＲＡＲ ＭＡＣ ＰＤＵで受信されたバックオフインデックスに相応するバックオフテーブルからＵＥによって獲得される。
【０１０９】
動作７２０で、後続ランダムアクセスプリアンブル送信はバックオフ時間だけ遅延される。
【０１１０】
動作７２５で、ランダムアクセスリソース選択(すなわち、ランダムアクセスプリアンブル及びＲＡＣＨオケージョンの選択)が行われ、ランダムアクセスプリアンブルは送信される。
【０１１１】
実施例６
図８は、本開示の一実施例によるランダムアクセス手続きの間のランダムアクセスバックオフのための動作の他のフローチャートである。
図８を参照すれば、ＵＥはランダムアクセスプリアンブル送信に相応するＲＡＲがＲＡＲウィンドウの間に受信されず、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにＲＡ手続きの間の競争解決タイマーが満了され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、ＵＥはさらにランダムアクセスプリアンブル送信に相応するＲＡＲがＲＡＲウィンドウの間に受信されず、バックオフインジケーターがＲＡＲで受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。一実施例で、２段階ＲＡＣＨ手続きで、ＵＥはさらにＭｓｇ３を送信するために示すかＵＥによって送信されたＭｓｇＡの成功的な受信を示すネットワーク応答が応答ウィンドウの間に受信されず、バックオフインジケーターがネットワーク応答で受信され、ＵＥがＲＡ手続きの間の設定可能な回数に対するランダムアクセスプリアンブル(ＲＲＣシグナリングを介してｇＮＢによって設定されたｐｒｅａｍｂｌｅＴｒａｎｓＭａｘ)をまだ送信しない場合にこのような動作を行う。
【０１１２】
このようなＲＡ手続きの間の動作８０５で、無競争ランダムアクセスリソースが設定されて(すなわち、ＲＲＣ又はＰＤＣＣＨオーダーによって明示的にシグナリングされて)、無競争ランダムアクセスリソースを選択する基準が充足されると、動作は動作８１５へ進行する。そうではなければ、動作は動作８１０へ進行する。
【０１１３】
動作８１０で、０とＰＲＥＡＭＢＬＥ＿ＢＡＣＫＯＦＦの間の均等分布によってランダムバックオフ時間が選択される。ＰＲＥＡＭＢＬＥ＿ＢＡＣＫＯＦＦはバックオフ値で設定されるか、スケーリング係数が進行中のランダムアクセス手続きの間のｇＮＢによって設定される場合、スケーリング係数＊バックオフ値で設定される。バックオフ値はＲＡＲ ＭＡＣ ＰＤＵで受信されたバックオフインデックスに相応するバックオフテーブルからＵＥによって獲得される。
【０１１４】
動作８２５で、後続ランダムアクセスプリアンブル送信はバックオフ時間だけ遅延される。
【０１１５】
動作８２０で、ランダムアクセスリソース選択(すなわち、ランダムアクセスプリアンブル及びＲＡＣＨオケージョンの選択)が行われ、ランダムアクセスプリアンブルは送信される。
【０１１６】
実施例７
以下で、ＳＩ メッセージ受信のためのＳＩウィンドウ決定の実施例が説明される。
図９は、本開示の一実施例によるシステム情報ウィンドウを示す。図１０は、本開示の一実施例による他のシステム情報ウィンドウを示す。
図９及び図１０は、デフォルト連関(ｄｅｆａｕｌｔ ａｓｓｏｃｉａｔｉｏｎ)に対するＳＩウィンドウの例示図である。デフォルト連関(すなわち、ＯＳＩに対するＰＤＣＣＨモニタリングオケージョンはＲＭＳＩ(ｒｅｍａｉｎｉｎｇ ｓｙｓｔｅｍ ｉｎｆｏｒｍａｔｉｏｎ)に対して設定されたことと同じ)はｏｓｉ−ＳｅａｒｃｈＳｐａｃｅがｇＮＢによってシグナリングされない時に用いられる。無線フレームでのスロットの数は例えば、０であることで仮定される。
【０１１７】
図９を参照すれば、図９はＲＭＳＩに対するＰＤＣＣＨモニタリングオケージョンのセットがシステムフレーム番号(ｓｙｓｔｅｍ ｆｒａｍｅ ｎｕｍｂｅｒ、ＳＦＮ)０から開始されて２０ｍｓごとに位置されるパターン１の例である。この場合、ネットワークは２０個のスロットのｓｉ−ＷｉｎｄｏｗＬｅｎｇｔｈ(すなわち、Ｎと同じ)を設定するだろう。ＳＩウィンドウの間、ＵＥはＳＩメッセージに対するＰＤＣＣＨモニタリングオケージョンに相応するスロット／シンボルのみをモニタリングする。
【０１１８】
図１０を参照すれば、図１０は同期化信号(ｓｙｎｃｈｒｏｎｉｚａｔｉｏｎ ｓｉｇｎａｌ、ＳＳ)バーストセット期間(ｂｕｒｓｔ ｓｅｔ ｐｅｒｉｏｄ)ごとにＲＭＳＩに対するＰＤＣＣＨモニタリングオケージョンのセットが位置されるパターン２／３の例である。ＳＳバーストセット期間はＳＦＮ０から開始されたりＳＦＮ０からのオフセットで開始されることができる。この例では、ＳＳバーストセット期間は２０ｍｓで、オフセットは１無線フレームである。この場合、ネットワークは２０個のスロットのｓｉ−ＷｉｎｄｏｗＬｅｎｇｔｈと一つの無線フレームと同一なｏｆｆｓｅｔを設定するだろう。ＳＩウィンドウの間、ＵＥはＳＩメッセージに対するＰＤＣＣＨモニタリングオケージョンに相応するスロット／シンボルのみをモニタリングする。
【０１１９】
デフォルト連関の場合：
＊ “パターン１”はＳＳ／ＰＢＣＨブロックとＲＭＳＩ制御リソースセット(ｃｏｎｔｒｏｌ ｒｅｓｏｕｒｃｅ ｓｅｔ、ＣＯＲＥＳＥＴ)が異なる時間インスタンス(ｔｉｍｅ ｉｎｓｔａｎｃｅ)から発生し、ＳＳ／ＰＢＣＨブロックＴＸ ＢａｎｄＷｉｄｔｈ(ＢＷ)及びＲＭＳＩ ＣＯＲＥＳＥＴを含む初期活性ＤＬ ＢａｎｄＷｉｄｔｈ Ｐａｒｔ(ＢＷＰ)が重ねる多重化パターンを指称して；
＊“パターン２”は ＳＳ／ＰＢＣＨ ブロックとＲＭＳＩ ＣＯＲＥＳＥＴが異なる時間インスタンスで発生し、ＳＳ／ＰＢＣＨブロックＴＸ ＢＷ及びＲＭＳＩ ＣＯＲＥＳＥＴを含む初期活性ＤＬ ＢＷＰが重ねない多重化パターンを指称して；
＊“パターン３”はＳＳ／ＰＢＣＨ ブロックとＲＭＳＩ ＣＯＲＥＳＥＴが同一な時間インスタンスで発生し、ＳＳ／ＰＢＣＨ ブロックＴＸ ＢＷ及びＲＭＳＩ ＣＯＲＥＳＥＴを含む初期活性ＤＬ ＢＷＰが重ねない多重化パターンを指称する。
【０１２０】
デフォルト連関に用いられるパターンはＭＩＢでシグナリングされたパラメーターＰＤＣＣＨＣｏｎｆｉｇＳＩＢ１を用いて設定される。
【０１２１】
図１１は、本開示の一実施例による他のシステム情報ウィンドウを示す。
図１１を参照すれば、図１１はデフォルトではない連関のためのＳＩウィンドウの例示図である。この例で、ｏｓｉ−ＳｅａｒｃｈＳｐａｃｅ設定は次のとおりである。Ｐｅｒｉｏｄｉｃｉｔｙ：５個のスロット；Ｏｆｆｓｅｔ：０；ｄｕｒａｔｉｏｎ：２個のスロット；ｍｏｎｉｔｏｒｉｎｇＳｙｍｂｏｌｓＷｉｔｈｉｎＳｌｏｔ：００１０００００１０００００；及びＣＯＲＥＳＥＴ−ｔｉｍｅ−ｄｕｒａｔｉｏｎ：４個のＯＦＤＭシンボル。無線フレームでのスロットの数は例えば、０であることで仮定される。ＳＳＢの数は１２である。この場合、ネットワークはそれぞれのＳＳＢに対してＰＤＣＣＨモニタリングオケージョンがあるように１５個のスロットのｓｉ−ＷｉｎｄｏｗＬｅｎｇｔｈを設定するだろう。
【０１２２】
ＵＥはｇＮＢからＳｙｓｔｅｍＩｎｆｏｒｍａｔｉｏｎＢｌｏｃｋＴｙｐｅ１を受信する。ＳｙｓｔｅｍＩｎｆｏｒｍａｔｉｏｎＢｌｏｃｋＴｙｐｅ１はｓｃｈｅｄｕｌｅＩｎｆｏＬｉｓｔ、ｓｉ−ＷｉｎｄｏｗＬｅｎｇｔｈ、Ｏｆｆｓｅｔ及びｓｉ−Ｐｅｒｉｏｄｉｃｉｔｙを含む。ｓｉ−ＰｅｒｉｏｄｉｃｉｔｙはｓｃｈｅｄｕｌｅＩｎｆｏＬｉｓｔのそれぞれのＳＩメッセージに対して独立的にシグナリングされる。このようなすべてのパラメーターはＵＥがＳＩメッセージを受信する(セルの)すべてのＤＬ ＢＷＰに適用可能である。関連されるＳＩメッセージに対するＳＩウィンドウの開始を決定するＵＥ手続きは次のとおりである：
【０１２３】
−関連されたＳＩメッセージに対し、ＳｙｓｔｅｍＩｎｆｏｒｍａｔｉｏｎＢｌｏｃｋＴｙｐｅ１のｓｃｈｅｄｕｌｅＩｎｆｏＬｉｓｔによって設定されたＳＩメッセージのリストでのエントリーのオーダーに相応する数ｎを決定して；
−整数値ｘ＝ Ｏｆｆｓｅｔ＋(ｎ−１)＊ｗを決定し、ここでｗはスロットのｓｉ−ＷｉｎｄｏｗＬｅｎｇｔｈである。一実施例で、オフセットは設定されず、ＵＥは整数値ｘ＝(ｎ−１)＊ｗを決定し、ここでｗはｓｉ−ＷｉｎｄｏｗＬｅｎｇｔｈであり；
−ＳＩウィンドウは、ＳＦＮ ｍｏｄ Ｔ＝ＦＬＯＯＲ(ｘ／無線フレームでのスロットの数)である無線フレームで、スロット＃ａで開始され、ここでａ＝ｘ ｍｏｄ(無線フレームでのスロットの数)、ここでＴは関連されるＳＩメッセージのｓｉ−Ｐｅｒｉｏｄｉｃｉｔｙである。無線フレームでのスロットの数はＯＳＩに対するＳＣＳによって異なる。ＯＳＩに対するＳＣＳはＵＥがＳＩメッセージを受信するＤＬ ＢＷＰのＳＣＳである。無線フレームでのスロットと多様なＳＣＳの間のマッピングは予め定義されており；
−ＳＩウィンドウの間、ＵＥはＳＩメッセージに対するＰＤＣＣＨモニタリングオケージョンに相応するスロット／シンボルのみをモニタリングする。ＳＩメッセージに対するＰＤＣＣＨ モニタリングオケージョンはｏｓｉ−ＳｅａｒｃｈＳｐａｃｅが０ではない場合には ｏｓｉ−ＳｅａｒｃｈＳｐａｃｅによって示された設定によって決定され、そうではない場合、デフォルト連関(すなわち、ページングのためのＰＤＣＣＨモニタリングオケージョンはＲＭＳＩの場合と同一である)によって決定される。ｏｓｉ−ＳｅａｒｃｈＳｐａｃｅはＵＥがＳＩメッセージ受信のために使用しなければならない検索空間設定の検索空間ｉｄである。
【０１２４】
図１２は、本開示の一実施例による端末機のブロック図である。
図１２を参照すれば、端末機は送受信機１２１０、制御部１２２０及びメモリー１２３を含む。送受信機１２１０、制御部１２２０及びメモリー１２３０は図面、例えば図１乃至図１１に示されるか、そうではなければ上述したようにＵＥの動作を行うように構成される。送受信機１２１０、制御部１２２０及びメモリー１２３０は別個のエンティティーとして示されているが、単一チップのような単一エンティティーとして実現されることができる。送受信機１２１０、制御部１２２０及びメモリー１２３０は互いに電気的に接続されるか結合されることができる。
【０１２５】
送受信機１２１０は信号を他のネットワークエンティティー、例えば基地局に送信してこれから信号を受信することができる。
【０１２６】
制御部１２２０は上述した実施例のうちの一つ以上によって機能を行うようにＵＥを制御することができる。制御部１２２０は回路、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)又は少なくとも一つのプロセッサを指称することができるが、これら実施例はここに制限されない。
【０１２７】
一実施例で、端末機の動作は相応するプログラムコードを記憶するメモリー１２３０を用いて具現されることができる。具体的に、端末機には望む動作を具現するプログラムコードを記憶するためのメモリー１２３０が装着されることができる。望む動作を行うため、制御部１２２０はプロセッサ又は中央処理ユニット(ｃｅｎｔｒａｌ ｐｒｏｃｅｓｓｉｎｇ ｕｎｉｔ、ＣＰＵ)を利用することによってメモリー１２３０に記憶されたプログラムコードを判読して実行することができる。
【０１２８】
図１３は、本開示の一実施例によるＢＳのブロック図である。
図１３を参照すれば、基地局は送受信機１３１０、制御部１３２０及びメモリー１３３０を含む。送受信機１３１０、制御部１３２０及びメモリー１３３０は図面、例えば、図１乃至図 １１に示されるかそうではなければ上述したネットワーク(例えば、ｇＮＢ)の動作を行うように構成される。送受信機１３１０、制御部１３２０及びメモリー１３３０は別個のエンティティーとして示されているが、単一チップのような単一エンティティーとして実現されることができる。送受信機１３１０、制御部１３２０及びメモリー１３３０は互いに電気的に接続されるか結合されることができる。
【０１２９】
送受信機１３１０は信号を他のネットワークエンティティー、例えば、端末機に送信してこれから信号を受信することができる。
【０１３０】
制御部１３２０は上述した実施例のうちの一つによって機能を行うように基地局を制御することができる。制御部１３２０は回路、ＡＳＩＣ又は少なくとも一つのプロセッサを指称することができるが、これら実施例はここに制限されない。
【０１３１】
一実施例で、基地局の動作は相応するプログラムコードを記憶するメモリー１３３０を用いて具現されることができる。具体的に、基地局には望む動作を具現するプログラムコードを記憶するためのメモリー１３３０が装着されることができる。望む動作を行うため、制御部１３２０はプロセッサ又はＣＰＵを利用することによってメモリー１３３０に記憶されたプログラムコードを判読して実行することができる。
【０１３２】
本開示は、この多様な実施例を参照して図示されて説明されたが、本技術分野の通常の技術者は添付された請求項及びこの等価物により定義されたように本開示の思想及び範囲を逸脱せず形態及び詳細事項の多様な変更が成ることができることを理解するだろう。
【０１３３】
上述したように、明細書及び図面に開示された実施例は本開示の内容を容易に説明して理解を助けるために具体的な例を提示するためだけに用いられ、本開示の範囲を制限するためことではない。したがって、本開示の範囲は本明細書に開示された実施例に付加して本開示の技術的概念に基づいて導出されたすべての変更又は修正を含むように分析されなければならない。
【符号の説明】
【０１３４】
１２１０  送受信機
１２２０  制御部
１２３０  メモリー
１３１０  送受信機
１３２０  制御部
１３３０  メモリー
【図１】
2021527979.tif 000003
【図２】
2021527979.tif 000004
【図３】
2021527979.tif 000005
【図４】
2021527979.tif 000006
【図５】
2021527979.tif 000007
【図６】
2021527979.tif 000008
【図７】
2021527979.tif 000009
【図８】
2021527979.tif 000010
【図９】
2021527979.tif 000011
【図１０】
2021527979.tif 000012
【図１１】
2021527979.tif 000013
【図１２】
2021527979.tif 000014
【図１３】
2021527979.tif 000015
【国際調査報告】
2021527979.tif 000016
2021527979.tif 000017